(57)【要約】【課題】回転部材と複数の磁石を備える専用部品を使わずに簡単な構成で電子式流量カウンタを駆動できるガスメータを提供する。【解決手段】計量膜の往復運動をリンク機構及びクランク機構を介して回転運動に変換し、該回転運動によって機械式流量カウンタを駆動すると共に、当該回転運動に応じて回転する磁石の磁力を磁力センサで検出して流量を算出する電子式流量カウンタを備えるガスメータにおいて、機械式流量カウンタの回転駆動と連動する駆動軸に突起を有する回転カムを取り付け、一端部に回転カムと係合するカム面を有し、他端部に磁石を取付けたレバーのカム面と回転カムが係合するレバーを、一方向にのみ所定角度範囲で回転駆動されて遥動可能に軸支し、レバーが所定角度駆動されたときの磁石の位置に近接して磁力センサを配設し、該磁力センサにより遥動するレバー端の磁石の磁力を検出して流量を算出する電子式流量カウンタを構成する。【選択図】図１
2010156548.tif 000002
【特許請求の範囲】
【請求項１】
ガスが計量室を通過することによる計量膜の往復運動をリンク機構及びクランク機構を介して回転運動に変換し、該回転運動によって機械式流量カウンタを駆動すると共に、当該回転運動に応じて回転する磁石の磁力を磁力センサで検出して流量を算出する電子式流量カウンタを備えるガスメータにおいて、
前記機械式流量カウンタの回転駆動と連動する駆動軸に突起を有する回転カムを取り付け、
一端部に前記回転カムと係合するカム面を有し、他端部に磁石を取付けたレバーの前記カム面と前記回転カムが係合する前記レバーを、一方向にのみ所定角度範囲で回転駆動されて遥動可能に軸支し、
前記レバーが前記所定角度駆動されたときの前記磁石の位置に近接して磁力センサを配設し、該磁力センサにより前記遥動するレバー端の前記磁石の磁力を検出することにより流量を算出する前記電子式流量カウンタを構成し、
ガスの逆流により前記駆動軸が逆回転した場合、前記回転カムが前記レバーの前記一端部と当接することにより前記駆動軸の回転を阻止することを特徴とするガスメータ。
【請求項２】
前記回転カムに複数の突起を備え、前記駆動軸一回転当りの磁力検知回数を複数回とすることを特徴とする請求項１に記載のガスメータ。
【発明の詳細な説明】
【技術分野】
【０００１】
本発明は、機械式流量カウンタおよび電子式流量カウンタにより流量を計測するガスメータに関する。
【背景技術】
【０００２】
従来の膜式ガスメータは、例えば、特許文献１や２に開示されているように、図５および図６に示すような構成である。図５は、従来の膜式ガスメータを示す一部破断正面図、図６は、同じく側断面図である。
【０００３】
膜式ガスメータ１は、本体ケース内に計量膜２を備えた一対の計量室１７ａ，１７ｂを備え、ガスがいずれかの計量室１７に流入することにより、これらの計量膜２が往復運動してガスの流入および排出が行われる。
この計量膜２の往復運動に連動して各計量膜２に連結された翼軸１０が往復回動し、リンク機構３を介してクランクアーム４を回転させ、クランクアーム４に固着したクランク軸７の回転運動に変換される。
【０００４】
クランク機構は、クランク軸７に固着したウォームギアを格納するギアボックス１４を計量部本体の上部壁上に取り付けたクランク台１６に設け、このウォームギアと噛み合うウォームホイール１２を介して、クランク軸７の回転をクランク軸７と直交する状態に軸支された駆動軸１３に伝達する。
【０００５】
この膜式ガスメータ１では、このクランク軸７の回転を機械式と電子式の二つの流量カウンタでカウントして流量を計測する。
機械式流量カウンタでは、クランク機構によりクランク軸７の回転を機械式流量カウンタの駆動軸１３の回転に変換して、この駆動軸１３の回転により伝達機構を介して膜式ガスメータ１前面上部に備える目視カウンタ（数字車）を動作させる。
【０００６】
一方、電子式流量カウンタは、クランク軸７の上端に固着された回転部材６上に複数の磁石を配置し、その回転する磁石の軌道付近に設けられたリードスイッチ等の磁力センサで磁石の磁力変化を検出し、磁石の通過信号をカウントした値から流量を計測する。
尚、ガスの逆流が起きた場合のクランク軸７の逆回転を防止する逆転防止機構が別途設けられている。
【特許文献１】特開７−２７５８３号公報
【特許文献２】特開２００１−３４９７６２号公報
【発明の開示】
【発明が解決しようとする課題】
【０００７】
上述のような従来の膜式ガスメータの電子流量カウンタでは、回転部材と複数個の磁石を備える専用部品を必要としている。
【０００８】
本発明は、上述のような実情を考慮してなされたものであって、回転部材と複数個の磁石を備える専用部品を使わずに簡単な構成で電子式流量カウンタを駆動できるガスメータを提供することを目的とする。
【課題を解決するための手段】
【０００９】
上記の課題を解決するために、本発明のガスメータは、ガスが計量室を通過することによる計量膜の往復運動をリンク機構及びクランク機構を介して回転運動に変換し、該回転運動によって機械式流量カウンタを駆動すると共に、当該回転運動に応じて回転する磁石の磁力を磁力センサで検出して流量を算出する電子式流量カウンタを備えるガスメータであって、前記機械式流量カウンタの回転駆動と連動する駆動軸に突起を有する回転カム（この回転カムには１つ以上の突起を備えている）を取り付け、一端部に前記回転カムと係合するカム面を有し、他端部に磁石を取付けたレバーの前記カム面と前記回転カムが係合する前記レバーを、一方向にのみ所定角度範囲で回転駆動されて遥動可能に軸支し、前記レバーが前記所定角度駆動されたときの前記磁石の位置に近接して磁力センサを配設し、該磁力センサにより前記遥動するレバー端の前記磁石の磁力を検出することにより流量を算出する前記電子式流量カウンタを構成し、ガスの逆流により前記駆動軸が逆回転した場合、前記回転カムが前記レバーの前記一端部と当接することにより前記駆動軸の回転を阻止する。
【発明の効果】
【００１０】
本発明によれば、機械式流量カウンタの駆動機構と一体化して電子流量カウンタと逆転防止機構とを構成するので、従来のように回転部材と複数の磁石を備えた専用部品が不要となり、簡単な構成で電子式流量カウンタを駆動することができる。
【発明を実施するための最良の形態】
【００１１】
以下、図面を参照して本発明のガスメータに係る好適な実施形態を説明する。
本実施形態のガスメータは、上述した従来の膜式ガスメータ（図５および図６）で行っていた磁石を配置した回転部材を省いて、磁石を取り付けた逆転防止レバーを設けている。尚、リンク機構やクランク機構は、従来の膜式ガスメータと同じ構成であるので説明を省略する。
【００１２】
図１は、本実施形態の電子式流量カウンタの構成を説明する図である。
同図において、機械式流量カウンタの回転駆動と連動する駆動軸１３に突起を有する回転カム３２が固着され、一端部３３ｂに回転カム３２の突起と係合するカム面３３ｃを有し、他端部３３ａに磁石３５を取付けた逆転防止レバー３３が、ギアボックス１４に設けられた逆転防止レバー軸３６に軸支されている。
【００１３】
逆転防止レバー３３は、駆動軸１３の回転により、カム面３３ｃと回転カム３２の突起が係合して一方向にのみ所定角度範囲で回転駆動され、回転カム３２の突起とカム面３３ｃの係合が外れると当初位置に戻り、遥動するように逆転防止レバー軸３６で軸支される。
尚、逆転防止レバー３３を当初位置以上に回転しないようにするために、逆転防止レバー３３のストッパーを磁力センサ３４とは反対方向の位置のギアボックス１４に設けるようにしてもよい。
また、逆転防止レバー３３が所定角度駆動されたときの磁石３５の位置に近接して磁力センサ３４を配設する。
【００１４】
上記構成により、電子式流量カウンタは、遥動する逆転防止レバー３３の他端３３ａの磁石３５の磁力変化を磁力センサ３４により検出することにより流量を算出する。
また、ガスの逆流により駆動軸１３が逆回転した場合、回転カム３２の突起が逆転防止レバー３３の一端部３３ｂと当接することにより逆回転が阻止される。
【００１５】
次に、本実施形態の電子式流量カウンタの動作について説明する。
まず、計量膜２の往復運動によりクランクアーム４に伝達された回転運動がクランク軸７を回転させ、このクランク軸７の回転に応じてウォームホイール１２が回転する。
図２のように、ウォームホイール１２が回転すると、駆動軸１３が回転して回転カム３２の突起が逆転防止レバー３３のカム面３３ｃに当接し、図３のように逆転防止レバー３３が所定角度回転して、磁石３５が磁力センサ３４に接近し、磁力センサ３４がＯＮ信号を出力する。
【００１６】
駆動軸１３の回転がさらに進み、回転カム３２の突起が逆転防止レバー３３のカム面３３ｃとの係合が外れると、逆転防止レバー３３は磁石３５の重みで図１の状態に戻り、磁力センサ３４は磁石３５が離れるのでＯＦＦ信号を出力する。
【００１７】
以上のように、機械式流量カウンタの駆動機構と一体化して電子流量カウンタと逆転防止機構とを構成するので、従来のように回転部材と複数の磁石を備えた専用部品が不要となり、簡単な構成で電子式流量カウンタを駆動することができる。
【００１８】
また、図４に示すように、上述の駆動軸１３に固着された回転カム３２を複数の突起を持つ回転カム３７とすることにより、駆動軸１３一回転当りの磁力センサ検知回数を複数回とすることができる。尚、突起の個数は、図４のように４つとは限らず、突起の当接／非当接によって磁石３５の磁力の検知／非検知が識別可能な個数であればよい。
これにより、回転カムの突起の数が１つの場合と比べて、駆動軸一回転当りの磁力検知の分解能を向上させることができる。
【００１９】
尚、本発明は上述した実施形態に限定されず、本発明の要旨を逸脱しない範囲内で各種の変形、修正が可能であるのは勿論である。例えば、磁石と磁力センサを用いて積算を行う計量器に応用可能である。
【図面の簡単な説明】
【００２０】
【図１】本実施形態の電子式流量カウンタの構成を説明する図である（回転カムが１つの突起を有する場合）。
【図２】回転カムが回転防止レバーのカム面に当接を開始するときの様子を示す図である。
【図３】回転カムが回転防止レバーのカム面に当接し、磁石が磁力センサに接近するときの様子を示す図である。
【図４】本実施形態の電子式流量カウンタの構成を説明する他の図である（回転カムが４つの突起を有する場合）。
【図５】従来の膜式ガスメータを示す一部破断正面図である。
【図６】従来の膜式ガスメータを示す側断面図である。
【符号の説明】
【００２１】
１…膜式ガスメータ、２…計量膜、３…リンク機構、４…クランクアーム、６…回転部材、７…クランク軸、１０…翼軸、１２…ウォームホイール、１３…水平軸、１４…ギアボックス、１６…クランク台、１７,１７ａ,１７ｂ…計量室、３２,３７…回転カム、３３…逆転防止レバー、３３ａ…逆転防止レバーの磁石を有する他端、３３ｂ…逆転防止レバーのカム面を有する一端、３３ｃ…カム面、３４…磁力センサ、３５…磁石、３６…逆転防止レバー軸。
【図１】
2010156548.tif 000003
【図２】
2010156548.tif 000004
【図３】
2010156548.tif 000005
【図４】
2010156548.tif 000006
【図５】
2010156548.tif 000007
【図６】
2010156548.tif 000008